(57)【特許請求の範囲】
【請求項１】
基礎床面上に敷き詰めて床面を形成するフロアパネルにおいて、残余部が格子状になるよう上下に貫通した開口部を前記フロアパネルに形成し、容易に切断できる薄肉部からなる横分割線を格子状の前記各残余部を横断して該フロアパネルに設けてなり、前記横分割線で切り離したフロアパネルの一方の残余部を他方の開口部に嵌合してフロアパネルの縦幅を調節可能にしたことを特徴とするフロアパネル。
【請求項２】
請求項１記載の切り離したフロアパネルの一方の残余部を他方の開口部とを嵌合させた際、切り離したフロアパネルの残余部に、互いに係合しあう位置規制部を設けてなるフロアパネル。
【請求項３】
請求項１記載の横分割線とは別に、容易に切断できる薄肉部からなる縦分割線を開口部又は残余部を縦断して設けてなるフロアパネル。
【発明の詳細な説明】
【０００１】
【発明の属する技術分野】
本発明は、所定寸法に規格化されたフロアパネルを基礎床面に敷き詰めてフリーアクセスフロアを構築する際、部屋の隅等に生ずる隙間に合わせて寸法の調節をできるように改良したフロアパネルに関する。
【０００２】
【従来の技術】
オフィスのＯＡ化が進むにつれて普及したフリーアクセスフロアは、コンクリート製の基礎床面上へ、フロアパネルを敷き詰めて構築する。ところが、所定寸法に規格化されたフロアパネルだけでは、部屋の隅等に、前記フロアパネルよりも狭い隙間ができ、この隙間を埋めるために、規格外のボーダーパネルが必要になってくる。
【０００３】
当初のボーダーパネルは、敷設場所で適切な大きさに切断して、上記隙間に埋め込んでいた。しかし、ボーダーパネルを敷設場所でいちいち作り出すことは、手間と労力が必要な上、端材が発生する問題があった。そこで、例えば実開平５−１６９７１号に見られるように、櫛歯状に成形した合成樹脂、金属又は木材等を互いに嵌合い、その嵌合いの程度で縦幅を調節するボーダーパネルが提案されるようになってきた。実開平５−１６９７１号では、更に中空の箱状に形成した部材の箱部分を嵌合い構造にしたボーダーパネルも提案している。
【０００４】
【発明が解決しようとする課題】
実開平５−１６９７１号は、敷設現場で製作する旧来のボーダーパネルにおいて要していた手間と労力とを削減することを目的としており、この点に関して大きな効果がある。しかし、一方では、なお規格化されたフロアパネルとは別材としてボーダーパネルを用意しなければならず、製造、管理、そして取扱い等を、それぞれ別にしなければならないし、敷設現場において、一方のフロアパネルが足りなくなれば、いくら他方が残っていても、もはやフリーアクセスフロアの構築は続行できないという問題が解決されない。更に、単なる嵌合い構造のボーダーパネルは、敷設後に、振動等により必要以上に短縮し、隙間ができる問題があった。
【０００５】
そこで、単一のフロアパネルに、従来の規格化されたフロアパネルとボーダーパネルとの両方の性格をもたせ、製造、管理、そして取扱い等を一元化して、より手間と労力の削減を図ることを目的として、フロアパネルの構造について検討することにした。
【０００６】
【課題を解決するための手段】
検討の結果開発したものが、基礎床面上に敷き詰めて床面を形成するフロアパネルにおいて、残余部が格子状になるよう上下に貫通した開口部を前記フロアパネルに形成し、容易に切断できる薄肉部からなる横分割線を格子状の前記各残余部を横断して該フロアパネルに設けてなり、前記横分割線で切り離したフロアパネル（以後、それぞれを分割パネルと呼ぶ）の一方の残余部を他方の開口部に嵌合してフロアパネルの縦幅を調節可能にしたフロアパネルである。
【０００７】
本発明のフロアパネルは、通常は所定寸法に規格したフロアパネルとして取扱い、横分割線で切り離した分割パネルの一方の残余部を他方の開口部に嵌合し、この残余部の長さの範囲で、フロアパネルの縦幅を短縮可能にするボーダーパネルとして取扱える。この横分割線は、開口部と平行なフロアパネルの２側面に交差する線であればよく、ノッチ、スリット、適当間隔で配列した貫通孔やこれらの組み合わせ等があり、フロアパネルは、この横分割線を軸に折曲げを繰り返すことで容易に２つの分割パネルに切り離すことができる。
【０００８】
開口部又は残余部の数は、フロアパネルの大きさや分割パネルの強度等によって決定されるが、開口部にハイヒールの踵が落ち込まない程度に幅の狭い開口部又は残余部を形成するのがよい。開口部はフロアパネル下の配線の状況を確認する覗き窓の役割も果たす。各分割パネルの残余部は、対向する開口部より幅が狭ければ嵌合できるが、この残余部と開口部とをほぼ同幅にすれば、対向する残余部同士が嵌合時に密接する。また、切り離したフロアパネルの一方の残余部と他方の開口部とを嵌合させた際、切り離したフロアパネルの各残余部に、互いに係合しあう位置規制部を設けておくと、分割パネルは安定して嵌合し、振動等により必要以上に縦幅が縮まることがなくなる。位置規制部としては、対称で嵌合可能な凹凸や、鋸歯状のラック部等がある。
【０００９】
分割パネルは、フロアパネルを等分する中心線上に横分割線を設けることで、同等かつ対称な形状のものを得ることができ、各分割パネルの残余部を対向する分割パネルの開口部に余すところなく嵌合させることができる。なお、横分割線は複数設けてもよく、フロアパネルは複数に分割することができる。
【００１０】
予め横分割線を複数設けておくと、分割パネルの残余部にはなお横分割線が残るが、この残った横分割線から先を切り取って残余部すべてを短くすれば、得られるボーダーパネルは元のフロアパネルに比べて縦幅を更に短縮できる。また、横分割線とは別に、容易に切断できる薄肉部からなる縦分割線を開口部又は残余部を縦断して設ければ、得られるボーダーパネルは元のフロアパネルに対して横幅をも短縮できる。なお、一部の残余部のみを、上記横又は縦分割線で切り取ると、この切断部分は常に床面上に開口して配線等の引出孔や、コンセントボックスの収容スペース等として用いることができるようになる。なお、横又は縦分割線を形成する薄肉部は、フロアパネル上面近くに設けるよりも、フロアパネル下面近くに設けるほうが、運搬時にフロアパネルの両脇を抱えても屈曲する心配がなく、取り扱いの便がよい。
【００１１】
【発明の実施の形態】
以下本発明の実施形態を、図を参照しながら説明する。図１は本発明のフロアパネル１の斜視図、図２はフロアパネル１からノッチ２，３に挟まれた残余部４の一部を切り離してコンセントボックス５を嵌め込んだ状態の斜視図、図３は同フロアパネル１をノッチ６で切り離して得た分割パネル７，８の斜視図であり、図４は一方の分割パネル７（又は８）の開口部９に対向する他方の分割パネル８（又は７）の残余部４を半分程度嵌合したボーダーパネル１０の斜視図、図５はラック部１１，１１の噛み合いを表わした一部平面図で、図６は一方の分割パネル７（又は８）の開口部９に対向する他方の分割パネル８（又は７）の残余部４を全部嵌合したボーダーパネル１２の斜視図である。本例ではノッチ２，３，６を横分割線とし、各分割パネル７，８の両側に当る残余部（図１中手前及び奥の残余部）それぞれに位置規制部としてのラック部１１，１１を形成している。
【００１２】
この例は、図１に見られるように、基礎床面との間に電気配線用の空間を作るために四隅に脚１３を配したフロアパネル１で、残余部４が格子状となるように開口部９を上面１５から下方へ貫通して設けている。この残余部と開口部９とは同幅である。なお、図１では、図示の便宜上、開口部９の幅を広くしているが、実際にはハイヒールの踵が落ち込まない程度の幅にする。上面１５には、フロアパネル１を二分割するように、各残余部４を横断してノッチ６を設け、それぞれに対応した補助脚１６を形成している。ノッチ２，３で挟まれた残余部４の一部を切り離せば、図２に見られるようにコンセントボックス５等を嵌め込むことができ、便利である。
【００１３】
ラック部１１，１１は、図４又は図６に見られるように、対向する残余部４と開口部９とを嵌合させたとき、図５に見られるように互いに係合して分割パネル７，８の相対的位置ずれを防ぎ、ボーダーパネル１０，１２としての大きさが維持され、必要以上に短縮せず、隙間も発生しないようにする。ラック部１１は、本例のように各分割パネル７，８の両側に当る残余部４のみ、数として２〜３の残余部に設けるだけで十分であるが、すべての残余部にラック部を設けると、より強固に分割パネルを組み付けることができる。
【００１４】
このフロアパネルは、ノッチ６を軸に折曲げを繰り返すことで、図３に見られるように、分割パネル７，８に分割できる。これにより、このフロアパネル１でフリーアクセスフロアを構築しながら、その敷設現場において、このフロアパネル１からボーダーパネル１０，１２（図４又は図６参照）を作り、部屋の隅等にできる隙間を埋めることができる。そして、このようにフロアパネルの種類が一元化されることから、製造コスト、保管コスト等が低減されるのである。なお、図３からも明らかなように、各分割パネル７，８は元のフロアパネル１の１／２（本例の場合）の大きさをもつ単体のボーダーパネルとしても利用可能である。
【００１５】
嵌合した分割パネル７，８は、図４に見られるように、開口部９を残してフロアパネル１の縦幅を短縮したボーダーパネル１０として利用してもよいし、図６に見られるように、開口部９をすべて埋めるように対向する残余部４を嵌合して最も縦幅の狭いボーダーパネル１２として利用してもよい。各図において、元のフロアパネル１の大きさを仮想線で示し、短縮した縦幅の大きさを両矢印で示している。図４のように、開口部９が残る程度に分割パネル７，８を嵌合した場合、この開口部９は、基礎床面上に這わせる配線１８の取出口又は配線１８の状況を確認する覗き窓として機能する。
【００１６】
図６のように、開口部９を埋めるように対向する残余部４を突き合わせて分割パネル７，８を嵌合させた場合、開口部９がない状態となるが、残余部４のノッチ２（又は３）から先を切り取ることで新しく開口部を形成することができる。更に開口部又は残余部を縦断する方向の縦分割線としてノッチ１９，２０を設ければ、図７に見られるように、フロアパネル１を縦幅及び横幅共に短縮し、例えばフリーアクセスフロアを敷設する部屋の角部に対応した小面積のボーダーパネル２１を敷設現場で容易に作り出すことができる。なお、残余部４の各切断端に当る部分には、予め補助脚１６を形成しておく。
【００１７】
本発明のフロアパネルは、製造コストの削減、軽量化やガタツキ音防止等を図る目的から、合成樹脂の一体成形品が好ましいが、金属製又は木製でもよい。本例は、図８に見られるように、上面にノッチ２（３，６，１９又は２０）を形成して、各分割パネルがほぼ上面１５で連結した構造のフロアパネルであるが、図９に見られるように、補助脚底面で各分割パネルが連結するように、ノッチ１４を下方に形成してもよい。横又は縦分割線をフロアパネル下面に設けた場合、荷重により、ある分割パネルの上面がたわんでも他の分割パネルが浮き上がることもなく（図８中二点鎖線と図９とを比較参照）、フロアパネル運搬時に横又は縦分割線から屈曲する心配がなくなるという利点がある。
【００１８】
本発明のフロアパネルは、通常は一組みの分割パネルが一体となった従来同様のフロアパネルとして取り扱える一方、必要に応じてボーダーパネルとして取り扱うこともできる点が特徴である。しかも、開口部から配線の確認又は取り出しができ、更に残余部の一部を切り取ることで、例えばコンセントボックスを嵌め込むなどの工作が敷設現場で行え、フリーアクセスフロアのレイアウトを自在にできるという利点を有するのである。
【００１９】
【発明の効果】
本発明により、フリーアクセスフロアの構築の際に必ずと言ってよいほど発生する周縁の隙間に対し、標準のフロアパネルを横又は縦分割線から分断することで、容易に隙間に合わせたボーダーパネルを得ることができるようになる。このことは、取り扱うべきフロアパネルの種類を減らし、製造コスト、保管コストを低減させ、加えて敷設作業の手間と労力を削減する効果がある。更に、本発明のフロアパネルを用いて構築されたフリーアクセスフロアには、床面に開口部が形成されることで、基礎床面上に這わせた配線の状況確認及び取り出しが容易な利便性の向上を図ることができるようになるのである。
【図面の簡単な説明】
【図１】本発明のフロアパネルの斜視図である。
【図２】同フロアパネルにコンセントボックスを嵌め込んだ状態の斜視図である。
【図３】同フロアパネルを切り離して得る分割パネルの斜視図である。
【図４】分割パネルを半分程度嵌合した嵌合したボーダーパネルの斜視図である。
【図５】嵌合したボーダーパネルのラック部の噛み合わせを示した一部平面図である。
【図６】分割パネルを全部嵌合したボーダーパネルの斜視図である。
【図７】格子溝の直交方向及び格子溝方向に短縮したボーダーパネルの斜視図である。
【図８】フロアパネル上面付近で分割パネルが連結したノッチの拡大正面図である。
【図９】フロアパネル下面付近で分割パネルが連結したノッチの拡大正面図である。
【符号の説明】
１  フロアパネル
２  左側のノッチ
３  右側のノッチ
４  残余部
６  フロアパネルを等分するノッチ
９  開口部
１１  ラック部
【図１】
0003634026.tif 000002
【図２】
0003634026.tif 000003
【図３】
0003634026.tif 000004
【図４】
0003634026.tif 000005
【図５】
0003634026.tif 000006
【図６】
0003634026.tif 000007
【図７】
0003634026.tif 000008
【図８】
0003634026.tif 000009
【図９】
0003634026.tif 000010